(57)【要約】【課題】  本発明の目的は、ネットワーク通信機能を有する端末装置に接続された通信端末の利便性を損なうことなくデータの漏洩及び盗難を防止することにある。【解決手段】  親機である端末の電源がオンになると子機である通信端末の電源がオンになり、親機の通信アプリケーションが立ち上げられると、子機が通信可能な状態となる。子機が通信可能な状態となると、親機から子機にアドレス帳、通信履歴等の転送データが送信される。親機の通信アプリケーションが終了すると、子機が操作不可能な状態になり、子機に記憶された転送データは消去される。【選択図】図１
2006345342.tif 000002
【特許請求の範囲】
【請求項１】
通信端末との間でデータの交信を行うデータ送受信部と、上記通信端末の接続先との間でネットワークを介して通信を行うネットワーク通信部と、所定の通信制御プロトコルに基づいて上記接続先との間で音声通信を行うためのアプリケーションと、を有する端末装置において、
上記データ送受信部は、該端末装置の動作モードが変化したとき、上記通信端末の動作モードを該端末装置の動作モードに対応して変化させるための制御信号を送信することを特徴とする端末装置。
【請求項２】
請求項１記載の端末装置において、上記データ送受信部は、該端末装置の電源がオフからオンになったとき、上記通信端末の電源をオフからオンにするための制御信号を送信することを特徴とする端末装置。
【請求項３】
請求項１記載の端末装置において、上記データ送受信部は、該端末装置がシャットダウンになったとき、上記通信端末をシャットダウンにするための制御信号を送信することを特徴とする端末装置。
【請求項４】
請求項１記載の端末装置において、上記データ送受信部は、上記アプリケーションが立ち上げられたとき、上記通信端末を通信可能な待機状態にするための制御信号を送信することを特徴とする端末装置。
【請求項５】
請求項１記載の端末装置において、上記データ送受信部は、継続して入力信号の入力がない時間が所定の期間を超えたとき、上記通信端末の操作を禁止するロック状態にするための制御信号を送信することを特徴とする端末装置。
【請求項６】
請求項１記載の端末装置において、上記データ送受信部は、スタンバイもしくはそれに準ずるパスワードロック状態になったとき、上記通信端末の操作を禁止するロック状態にするための制御信号を送信することを特徴とする端末装置。
【請求項７】
請求項１記載の端末装置において、上記データ送受信部は、上記アプリケーションが起動中に上記通信端末から転送データの要求を受信したとき、所定のデータを上記通信端末に送信することを特徴とする端末装置。
【請求項８】
請求項７記載の端末装置において、上記データ送受信部は、上記アプリケーションが終了したとき、上記通信端末に記憶されている上記所定のデータを消去するための制御信号を送信することを特徴とする端末装置。
【請求項９】
請求項１記載の端末装置において、上記データ送受信部は、上記アプリケーションが終了したとき、上記通信端末を通信不可能な状態にするための制御信号を送信することを特徴とする端末装置。
【請求項１０】
請求項１記載の端末装置において、上記データ送受信部は、近距離無線通信を利用して、上記通信端末との間でデータの交信を行うことを特徴とする端末装置。
【請求項１１】
請求項１記載の端末装置において、上記通信端末との間で近距離無線通信を行うための近距離無線通信部が設けられていることを特徴とする端末装置。
【請求項１２】
通信端末との間で近距離無線通信を行う近距離無線通信部と、該近距離無線通信部との間でデータの交信を行うデータ送受信部と、上記通信端末の接続先との間でネットワークを介して通信を行うネットワーク通信部と、所定の通信制御プロトコルに基づいて上記接続先との間で音声通信を行うためのアプリケーションと、を有する端末装置において、
上記データ送受信部は、該端末装置の動作モードが変化したとき、上記近距離無線通信部に対して該端末装置の動作モードが変化を通知し、上記近距離無線通信部は、上記通信端末に対して上記通信端末の動作モードを該端末装置の動作モードに対応して変化させるための制御信号を送信することを特徴とする端末装置。
【請求項１３】
請求項１２記載の端末装置において、上記データ送受信部は、該端末装置の電源がオフからオンになったとき、上記近距離無線通信部に対して起動の制御信号を送信し、上記近距離無線通信部は、上記通信端末に対して上記通信端末を通信可能な状態にするための制御信号を送信することを特徴とする端末装置。
【請求項１４】
請求項１２記載の端末装置において、上記データ送受信部は、該端末装置がシャットダウンになったとき、上記近距離無線通信部に対してシャットダウンの制御信号を送信し、上記近距離無線通信部は上記通信端末に対して上記通信端末をシャットダウンにするための制御信号を送信することを特徴とする端末装置。
【請求項１５】
請求項１２記載の端末装置において、上記データ送受信部は、上記アプリケーションが立ち上げられたとき、上記近距離無線通信部に対して上記アプリケーションが立ち上げられたことを通知し、上記近距離無線通信部は上記通信端末に対して上記通信端末を通信可能な待機状態にするための制御信号を送信することを特徴とする端末装置。
【請求項１６】
請求項１２記載の端末装置において、上記データ送受信部は、上記近距離無線通信部から転送データの要求を受信すると、上記通信端末に対して、所定のデータを送信することを特徴とする端末装置。
【請求項１７】
請求項１２記載の端末装置において、上記データ送受信部は、継続して入力信号の入力がない時間が所定の期間を超えたとき、上記近距離無線通信部に対してスタンバイ状態であることを通知し、上記近距離無線通信部は上記通信端末に対して上記通信端末の操作を禁止するロック状態にするための制御信号を送信することを特徴とする端末装置。
【請求項１８】
請求項１２記載の端末装置において、上記データ送受信部は、スタンバイもしくはそれに準ずるパスワードロック状態になったとき、上記近距離無線通信部に対してロック状態であることを通知し、上記近距離無線通信部は上記通信端末に対して上記通信端末の操作を禁止するロック状態にするための制御信号を送信することを特徴とする端末装置。
【請求項１９】
請求項１２記載の端末装置において、上記データ送受信部は、上記アプリケーションが終了すると、上記近距離無線通信部に対して上記アプリケーションが終了したことを通知し、上記近距離無線通信部は上記通信端末に対して上記通信端末を通信不可能な状態にするための制御信号を送信することを特徴とする端末装置。
【請求項２０】
請求項１６記載の端末装置において、上記データ送受信部は、上記アプリケーションが終了すると、上記近距離無線通信部に対して上記アプリケーションが終了したことを通知し、上記近距離無線通信部は上記通信端末に対して上記通信端末に記憶されている上記所定のデータを消去するための制御信号を送信することを特徴とする端末装置。
【請求項２１】
請求項１１記載の端末装置において、上記近距離無線通信部は、ＵＳＢインターフェース又はＩＥＥＥ１３９４インターフェースによって、上記データ送受信部に接続されていることを特徴とする端末装置。
【請求項２２】
所定の通信制御プロトコルに基づいて音声通信を行うためのアプリケーションを有する端末装置との間でデータの交信が可能な通信端末において、上記端末装置の動作モードの変化に対応して動作モードを変化させることを特徴とする通信端末。
【請求項２３】
請求項２２記載の通信端末において、上記端末装置から上記端末装置がシャットダウンになった旨を通知されたとき、シャットダウン処理を行うことを特徴とする通信端末。
【請求項２４】
請求項２２記載の通信端末において、上記端末装置から上記アプリケーションが立ち上げられたことを通知されたとき、通信可能な待機状態に変化することを特徴とする通信端末。
【請求項２５】
請求項２２記載の通信端末において、上記端末装置から、継続して入力信号の入力がない時間が所定の期間を超えたことを通知されたとき、該通信端末の操作を禁止するロック状態にすることを特徴とする通信端末。
【請求項２６】
請求項２２記載の通信端末において、通信可能な待機状態に変化したとき上記端末装置に対して、所定のデータの転送を要求し、該所定のデータが転送されたとき、それを記憶することを特徴とする通信端末。
【請求項２７】
請求項２２記載の通信端末において、上記端末装置から、上記アプリケーションの終了が通知されたとき、該通信端末を通信不可能な状態にすることを特徴とする通信端末。
【請求項２８】
請求項２６記載の通信端末において、上記端末装置から、上記アプリケーションの終了が通知されたとき、上記記憶した上記所定のデータを消去することを特徴とする通信端末。
【請求項２９】
請求項２２記載の通信端末において、近距離無線通信を利用して、上記端末装置との間でデータの交信を行うことを特徴とする通信端末。
【請求項３０】
所定の通信制御プロトコルに基づいて音声通信を行うためのアプリケーションを有する親機である端末から子機である通信端末を制御する方法において、
端末の電源がオフからオンになったとき、通信端末の電源をオンにする制御信号を送信することと、
端末がシャットダウンしたとき、通信端末をシャットダウンさせる制御信号を送信することと、
上記アプリケーションが立ち上げられたとき、上記通信端末を通信可能な待機状態にするための制御信号を送信することと、
継続して入力信号の入力がない時間が所定の期間を超えたとき、上記通信端末の操作を禁止するロック状態にするための制御信号を送信することと、
上記アプリケーションが起動中に上記通信端末から転送データの要求を受信したとき、所定のデータを上記通信端末に送信することと、
上記アプリケーションが終了すると、上記通信端末に記憶されている上記所定のデータを消去するための制御信号を送信することと、
上記アプリケーションが終了すると、上記通信端末を通信不可能な状態にするための制御信号を送信することと、
を含む方法。
【請求項３１】
請求項３０記載の方法をコンピュータに実行させるためにコンピュータに読み取り可能なプログラム。
【発明の詳細な説明】
【技術分野】
【０００１】
本発明は、インターネット電話のような通信ネットワークを介した電話機能を有する親機とそれに接続された携帯電話の機能を有する子機からなる通信装置に関し、特に、子機に記録されたデータの漏洩を防止する技術に関する。
【背景技術】
【０００２】
携帯電話等の携帯通信端末が盗難に遭ったり紛失したりすると、アドレス帳、通信履歴等の重要なデータが漏洩する。携帯電話に記録されたデータの漏洩を防止するために様々な技術が提案されている。
【０００３】
特許文献１には、携帯電話機からサーバへアップロードされているアドレス帳のような情報を、都合のいいときにサーバからのダウンロードという簡単な操作だけで携帯電話機等に取り込む技術が記載されている。また特許文献２には、携帯型電話機を紛失したり盗難に遭ったりした場合に備え、予め規定した時間以上特定の操作がない場合や、特定の充電器に接続されなかった場合に、携帯電話機に記憶された重要情報の漏洩を防止できる携帯型電話機及びその充電器に関する技術が記載されている。
【０００４】
【特許文献１】特開２００２−２１５５２７号公報
【特許文献２】特開２００３−２８９３５２号公報
【発明の開示】
【発明が解決しようとする課題】
【０００５】
しかしながら、特許文献１に記載された装置では、携帯電話機が紛失したり盗難に遭ったりした場合に、データを保護することが困難であるという問題を有している。また、特許文献２に記載された装置では、特定の操作をすることで、第三者がロックを解除することができることになる。また、近年、外出先でも簡単に充電できる充電機器があるが、この使用が制限されることになり、ユーザにとっては不便になるという問題を有する。
【０００６】
本発明の目的は、ネットワーク通信機能を有する端末装置に接続された通信端末の利便性を損なうことなくデータの漏洩及び盗難を防止することにある。
【課題を解決するための手段】
【０００７】
本発明によると、親機である端末装置の電源がオンになると子機である通信端末の電源がオンになり、親機の音声通信アプリケーションが立ち上げられると、子機が通信可能な状態となる。子機が通信可能な状態となると、親機から子機にアドレス帳、通信履歴等の転送データが送信される。親機の音声通信アプリケーションが終了すると、子機が通信不可能な状態になり、子機に記憶された転送データは消去される。
【０００８】
本発明によると、通信端末との間でデータの交信を行うデータ送受信部と、上記通信端末の接続先との間でネットワークを介して通信を行うネットワーク通信部と、所定の通信制御プロトコルに基づいて上記接続先との間で音声通信を行うためのアプリケーションと、を有する端末装置において、
上記データ送受信部は、該端末装置の動作モードが変化したとき、上記通信端末の動作モードを該端末装置の動作モードに対応して変化させるための制御信号を送信する。
【０００９】
本発明によると、通信端末との間で近距離無線通信を行う近距離無線通信部と、該近距離無線通信部との間でデータの交信を行うデータ送受信部と、上記通信端末の接続先との間でネットワークを介して通信を行うネットワーク通信部と、所定の通信制御プロトコルに基づいて上記接続先との間で音声通信を行うためのアプリケーションと、を有する端末装置において、
上記データ送受信部は、該端末装置の動作モードが変化したとき、上記近距離無線通信部に対して該端末装置の動作モードが変化を通知し、上記近距離無線通信部は、上記通信端末に対して上記通信端末の動作モードを該端末装置の動作モードに対応して変化させるための制御信号を送信する。
【００１０】
本発明によると、所定の通信制御プロトコルに基づいて音声通信を行うためのアプリケーションを有する端末装置との間でデータの交信が可能な通信端末において、上記端末装置の動作モードの変化に対応して動作モードを変化させる。
【発明の効果】
【００１１】
本発明によれば、端末に接続された通信端末の利便性を損なうことなくデータの漏洩及び盗難を防止することにある。
【発明を実施するための最良の形態】
【００１２】
図１を参照して、本発明による通信システムの概略を説明する。本例の通信システムは、接続先端末１、ネットワーク網２、端末３、無線通信モジュール４、及び、通信端末５を含む。接続先端末１は、イヤホンマイク等のスピーカ及びマイクを備えたパーソナルコンピュータであってよい。ネットワーク網２は、インターネット網であってよい。端末３はパーソナルコンピュータであってよい。無線通信モジュール４は、近距離無線通信の機能を有するＵＳＢアダプタであってよい。また、通信端末５は携帯電話であってよい。通信端末５は、親機である端末３の子機として機能するが、携帯電話として使用することができる。接続先端末１と端末３には、同一の音声通話用ソフトウエアアプリケーションがインストールされており、このソフトウエアアプリケーションは起動状態にあるものとする。このような音声通話用ソフトウエアとして、ソフトフォン、メッセンジャー、チャットソフトウエアなどがある。
【００１３】
接続先端末１からネットワーク網２を介して端末３に発信すると、端末３の音声通話用ソフトウエアは着信を受け、無線通信モジュール４に、近距離無線が有効であるか否かを確認させる。音声通話用ソフトウエアは、近距離無線が有効であると、無線通信モジュール４を介して通信端末５に着信ありの信号を送る。
【００１４】
通信端末５は着信ありの信号を受けると着信処理を行い、ユーザがこれに応答する操作をすると、通信端末５は無線通信モジュール４を介して端末３に応答要求を送信する。端末３は、通信端末５からの応答要求を受信すると、応答処理を行い、接続先端末１と端末３の間で音声通話が成立する。
【００１５】
本発明によると、親機である端末３の電源がオンになると子機である通信端末５の電源がオンになり、親機の音声通話用ソフトウエアアプリケーションが立ち上げられると、子機が通信可能な状態となる。子機が通信可能な状態となると、親機から子機にアドレス帳、通信履歴等の転送データが送信される。親機の通信アプリケーションが終了すると、子機が通信不可能な状態になり、子機に記憶された転送データは消去される。従って、子機の通信端末５が盗難に遭っても、保護すべきデータの漏洩は防止される。
【００１６】
図２は、本発明による通信システムの第１の例を示す。本例の通信システムは、接続先端末１、ネットワーク網２、端末３、無線通信モジュール４、及び、通信端末５を含む。
【００１７】
端末３は、少なくとも、ネットワーク網２を介して接続先端末１と通信を行うネットワーク通信部３１、表示部３２、情報を記憶する記憶部３３、接続先端末１とネットワーク網２を介してデータ通信を行うためのアプリケーション３４、操作部３５、端末１全体の動作を制御する制御部３６、無線通信モジュール４との間でデータ送受信を行うデータ送受信部３７、及び、無線通信モジュール４と接続する接続部３８を有する。
【００１８】
記憶部３３は、操作部３５を介して入力された情報、アプリケーション３４で使用されるアドレス帳、通信履歴などを記憶する。記憶部３３に記憶される情報には、アドレス帳、通信履歴のように、通信端末５からの転送要求に基づいて通信端末５に転送する転送データが含まれる。
【００１９】
アプリケーション３４は、接続先端末１とネットワーク網２を介して通信を行うためのプログラムであり、接続先端末１と端末３を、ネットワーク網を介して接続し、音声通信や文字通信などのデータの送受信を行うためのソフトウエアである。アプリケーション３４の例としては、ソフトフォン、メッセンジャー、チャットソフトウエアなどがある。
【００２０】
一方、無線通信モジュール４は、少なくとも、無線通信モジュール４全体の動作を制御する制御部４１、端末３と接続する接続部４２、通信端末５と近距離無線通信にて接続を行う近距離無線通信部４３、及び、端末３との間でデータ送受信を行うデータ送受信部４４を有する。
【００２１】
また、通信端末５は、少なくとも、情報を記憶する記憶部５１、接続先端末１から送信された音声を出力する音声出力部５２、表示部５３、通信端末５全体の動作を制御する制御部５４、操作部５５、音声入力部５６、及び、無線通信モジュール４の近距離無線通信部４３と近距離無線にて接続を行う近距離無線通信部５７を有する。記憶部５１は、端末３から送信された転送データを記憶する。音声出力部５２はスピーカであり、音声入力部５６はマイクであるとする。
【００２２】
接続先端末１は、端末３と同様な構成及び機能を有し、同様のアプリケーション３４を有するが、更に、音声入力部及び音声出力部を備えている。音声出力部はスピーカであり、音声入力部はマイクであるとする。
【００２３】
接続先端末１は、音声入力を、音声データとしてネットワーク網２を介して端末３に送信する。端末３の制御部３６は、ネットワーク通信部３１を介して受信した音声データを、データ送受信部３７及び接続部３８を介して無線通信モジュール４に送信する。無線通信モジュール４は、接続部４２及びデータ送受信部４４を介して受信した音声データを、近距離無線通信部４３を介して通信端末５に送信する。通信端末５は近距離無線通信部５７を介して受信した音声データを、音声出力部５２を介して出力する。
【００２４】
以下に、接続先端末１は、アプリケーション３４を有し、マイク及びスピーカを備えたパーソナルコンピュータとする。ネットワーク網２はインターネットとする。
【００２５】
端末３は、接続部３８としてＵＳＢインターフェースを持つパーソナルコンピュータとする。無線通信モジュール４は、接続部４２としてＵＳＢインターフェースをもち、近距離無線通信部４３としてＢｌｕｅｔｏｏｔｈを備えるＵＳＢアダプタとする。通信端末５は、近距離無線通信部５７としてＢｌｕｅｔｏｏｔｈを備え、ＵＳＢアダプタとペアリングされたハンドセット子機とする。
【００２６】
なお、接続先端末１は、上述の構成を有するパーソナルコンピュータに限るものではなく、上述の構成を有するパーソナルコンピュータとＵＳＢアダプタ、ハンドセット子機の組み合わせであってもよく、アプリケーション３４を持つＩＰ電話機のような態様でもかまわない。また、ネットワーク網２は、インターネットに限るものでなく、イーサネット網やＬＡＮ網であっても構わない。また、端末３と無線通信モジュール４との接続部としてＵＳＢインターフェースをあげたが、ＩＥＥＥ１３９４インターフェースでもよく、接続部３８と接続部４２のインターフェースが共通であれば、この部分が無線であってもかまわない。また、通信端末５として、近距離無線通信部５７を持つハンドセット子機としたが、携帯電話やＰＤＡ（Ｐｅｒｓｏｎａｌ  Ｄｉｇｉｔａｌ  Ａｓｓｉｓｔａｎｔｓ）であってもよい。近距離無線通信は、Ｂｌｕｅｔｏｏｔｈに限定されるものではなく、無線ＬＡＮやＵＷＢ（Ｕｌｔｒａ  Ｗｉｄｅ  Ｂａｎｄ）、ＩｒＤＡ（Ｉｎｆｒａｒｅｄ  Ｄａｔａ  Ａｓｓｏｃｉａｔｉｏｎ）などの規格の無線通信でも構わない。
【００２７】
図３の遷移状態図を参照して、図２の本発明の通信システムの第１の例の動作を説明する。ここでは、端末３を起動し、又は、シャットダウンすることにより、通信端末５の動作モードを変更する場合を説明する。
【００２８】
端末３が電源オフ（Ｓ１１）のとき、通信端末５の電源をＯＮにしても無線通信モジュール４は動作せず、通信端末５は通信未検出状態（Ｓ１２）となる。
【００２９】
端末３が起動する（Ｓ２１）と、制御部３６はデータ送受信部３７に、起動の制御信号（Ｓ２２）を送る。起動の制御信号は、接続部３８から無線通信モジュール４の接続部４２を渡り、無線通信モジュール４のデータ送受信部４４に送られる。データ送受信部４４が起動の制御信号（Ｓ２２）を受けると、制御部４１は、近距離無線通信部４３に対して通信開始の制御信号（Ｓ２３）を送る。通信開始の制御信号（Ｓ２３）は、近距離無線通信部４３から通信端末５の近距離無線通信部５７に送られる。それにより通信端末５の制御部５４は通信未検出状態（Ｓ１２）から通信検出状態（Ｓ２４）にモードを変更し、無線通信モジュール４との通信手続を進め、通信確立となる。このとき、端末３のアプリケーション３４は未だ起動していない。従って、通信端末５の操作部５５から操作を行っても近距離無線通信部５７へデータは送られず、記憶部５１に転送データが入っていない状態なので閲覧できない。音声入力部５６から音声入力を行っても同様に近距離無線通信部５７へはデータは送られない。
【００３０】
端末３がシャットダウン処理される（Ｓ３１）と、制御部３６はデータ送受信部３７にシャットダウン処理の制御信号（Ｓ３２）を送る。シャットダウン処理の制御信号（Ｓ３２）は、接続部３８から無線通信モジュール４の接続部４２を渡り、無線通信モジュール４のデータ送受信部４４に送られる。データ送受信部４４がシャットダウン処理の制御信号（Ｓ３２）を受けると、制御部４１は、近距離無線通信部４３に対して通信終了の制御信号（Ｓ３３）を送る。通信終了の制御信号（Ｓ３３）は、近距離無線通信部４３から通信端末５の近距離無線通信部５７に送られる。それにより通信端末５の制御部５４は通信検出状態（Ｓ２４）から通信未検出状態（Ｓ１２）にモードを変更し、無線通信モジュール４との通信終了手続を進め、通信終了となる。このとき、通信端末５の操作部５５から操作を行っても近距離無線通信部５７と通信が成立していないので端末３は動作せず、記憶部５１に転送データが入っていない状態なので閲覧できない。音声入力部５６から音声入力を行っても同様に端末３は動作しない。
【００３１】
図４の遷移状態図を参照して、図２の本発明の通信システムの第１の例の動作を説明する。ここでは、端末３を起動した後に、アプリケーション３４を立ち上げ、又は、アプリケーション３４を終了することにより、通信端末５の動作モードを変更する場合を説明する。
【００３２】
端末３の操作部３５よりアプリケーション３４を立ち上げる（Ｓ４１）と待機状態（Ｓ４７）になり、制御部３６はデータ送受信部３７にアプリケーション起動の制御信号（Ｓ４２）を送る。アプリケーション起動の制御信号（Ｓ４２）は、接続部３８から無線通信モジュール４の接続部４２を渡り、無線通信モジュール４のデータ送受信部４４に送られる。データ送受信部４４がアプリケーション起動の制御信号（Ｓ４２）を受けると、制御部４１は、近距離無線通信部４３に対してデータ通信開始の制御信号（Ｓ４３）を送る。データ通信開始の制御信号（Ｓ４３）は、近距離無線通信部４３から通信端末５の近距離無線通信部５７に送られる。それにより通信端末５の制御部５４は通信検出状態（Ｓ２４）から待機状態（Ｓ４４）にモードを変更し、近距離無線通信部５７から近距離無線通信部４３にモード変更完了の信号（Ｓ４５）を送信する。無線通信モジュール４は通信端末５からモード変更完了の信号（Ｓ４５）を受信すると、データ送受信部４４に転送データ要求の信号（Ｓ４６）を送信する。転送データ要求の信号（Ｓ４６）は、接続部４２から端末３の接続部３８を介して、端末３のデータ送受信部３７に送られる。データ送受信部３７が転送データ要求の信号（Ｓ４６）を受信すると、制御部３６は記憶部３３に記憶されている転送データをデータ送受信部３７に送る（Ｓ４８）。転送データは、接続部３８から無線通信モジュール４の接続部４２を介して、無線通信モジュール４のデータ送受信部４４に送られる。転送データは、制御部４１により近距離無線通信部４３を介して通信端末５の近距離無線通信部５７に送られる。通信端末５の制御部５４は、受信した転送データを記憶部５１に記憶する。
【００３３】
このとき、通信端末５の操作部５５からの操作は全て有効となり、記憶部５１の転送データも表示部５３に表示され閲覧可能になる。更に、端末３のアプリケーション３４からネットワーク網２を介して接続先端末１に対して音声通信要求を行い、接続先端末１が応答したとき、又は、接続先端末１からネットワーク網２を介して端末３のアプリケーション３４に対して音声通信要求があり、端末３が応答したとき、音声入力部５６からの音声入力が有効になる。
【００３４】
端末３の操作部３５から一定時間操作がない、もしくは、スクリーンセーバが起動した等、予め設定したスタンバイ状態又はそれに準ずるパスワードロック状態（Ｓ５１）になったとき、制御部３６はデータ送受信部３７にスタンバイ状態起動の制御信号（Ｓ５２）を送る。スタンバイ状態起動の制御信号（Ｓ５２）は、接続部３８から無線通信モジュール４の接続部４２を渡り、無線通信モジュール４のデータ送受信部４４に送られる。データ送受信部４４がスタンバイ状態起動の制御信号（Ｓ５２）を受けると、制御部４１は、近距離無線通信部４３に対してデータ通信中断の制御信号（Ｓ５３）を送る。データ通信中断の制御信号（Ｓ５３）は、近距離無線通信部４３を介して、通信端末５の近距離無線通信部５７に送られる。それにより通信端末５の制御部５４は待機状態からロック状態（Ｓ５４）にモードを変更する。
【００３５】
このとき、通信端末５の操作部５５から操作を行っても近距離無線通信部５７へデータは送られず、記憶部５１の転送データはロック中である旨が表示部５３に表示され、転送データは閲覧できない。音声入力部５６から音声入力を行っても同様に近距離無線通信部５７へはデータは送られない。ロックの解除には、端末３のスタンバイ状態（Ｓ５１）を待機状態（Ｓ４７）に戻さなければならない。
【００３６】
端末３の操作部３５よりアプリケーション３４を終了する（Ｓ６１）と、制御部３６はデータ送受信部３７にアプリケーション終了の制御信号（Ｓ６２）を送る。アプリケーション終了の制御信号（Ｓ６２）は、接続部３８から無線通信モジュール４の接続部４２を渡り、無線通信モジュール４のデータ送受信部４４に送られる。データ送受信部４４がアプリケーション終了の制御信号（Ｓ６２）を受けると、制御部４１は、近距離無線通信部４３に対してデータ通信終了の制御信号（Ｓ６３）を送る。データ通信終了の制御信号（Ｓ６３）は、近距離無線通信部４３から通信端末５の近距離無線通信部５７へ送られる。それにより通信端末５の制御部５４は待機状態（Ｓ４４）から通信検出状態（Ｓ２４）にモード変更し、記憶部５１に記憶されている、端末３の記憶部３３から取得した転送データを消去する。
【００３７】
このとき、端末３の起動時と同様、通信端末５の操作部５５から操作を行っても近距離無線通信部５７へデータは送られず、記憶部５１に転送データが入っていない状態なので閲覧できない。音声入力部５６から音声入力を行っても同様に近距離無線通信部５７へはデータは送られない。
【００３８】
なお、スタンバイ時の動作として、無線通信モジュールへは一切のデータは送られないとしたが、記憶されているデータの閲覧のみ禁止し、発着信の通話のみ有効にする設定にしてもよい。この場合は、無線通信モジュール４の制御部４１は、データ通信中断の制御信号ではなく、データ閲覧禁止の制御信号を近距離無線部４３から通信端末５の近距離無線通信部５７に送ることになり、通信端末５では、音声通話と発着信に伴う操作のみ有効となる。
【００３９】
また、図示はしていないが、端末３の電源がオンにもかかわらず無線通信モジュール４と通信端末５の間で近距離無線通信が成立しない場合は、端末３の状態はそのままであるが無線通信モジュール４から通信端末５への処理は行われず、通信端末５と無線通信モジュール４が通信できる範囲になったときに処理が行われる。通信端末５が待機状態にあるときに無線通信モジュール４と近距離無線通信が出来ない範囲に移動した場合、ロック状態に移行する。この場合は、無線通信モジュール４からの制御ではなく、通信端末５での制御となる。
【００４０】
図３及び図４を参照して説明した処理は、ハードウエアによって実現してもよいが、ソフトウエアによって実現してもよい。
【００４１】
図５は、本発明による通信システムの第２の例を示す。本例の通信システムを図２の第１の例と比較すると、本例では、図２の端末３の中に無線通信モジュール４が組み込まれている点が異なる。状態遷移については、上述の図３、図４を用いた説明と同様であるのでここでは省略する。
【００４２】
図６は、本発明による通信システムの第３の例を示す。本例の通信システムは、接続先端末１、ネットワーク網２、端末３、及び、通信端末８を有する。本例の通信システムを図２の第１の例と比較すると、本例では、無線通信モジュール４を使用しない。端末３と通信端末８は、直接通信を行う。ここでは、第１の例と異なる部分を説明する。
【００４３】
端末３は、少なくともネットワーク網２を介して接続先端末１と通信を行うネットワーク通信部３１、表示部３２、情報を記憶する記憶部３３、接続先端末１とネットワーク網２を介してデータ通信を行うためのアプリケーション３４、操作部３５、端末１全体の動作を制御する制御部３６、通信端末８とのデータ送受信を行うデータ送受信部３７、及び、通信端末８と接続する接続部３８を有する。
【００４４】
通信端末８は、少なくとも、情報を記憶する記憶部８１、接続先端末１からの音声を出力する音声出力部８２、表示部８３、端末３と接続する接続部８４、操作部８５、音声入力部８６、通信端末８全体の動作を制御する制御部８７、及び、端末３とデータ送受信を行うデータ送受信部８８を有する。
【００４５】
本例では、端末３の接続部３８と通信端末８の接続部８４は無線通信モジュールを介さずに接続されている。接続部３８と接続部８４の接続はインターフェースが共通であればどのようなものであってもよく、ＵＳＢインターフェース、ＩＥＥＥ１３９４インターフェースでもよく、また、無線であってもかまわない。
【００４６】
接続先端末１は、音声入力を、音声データとしてネットワーク網２を介して端末３に送信する。端末３の制御部３６は、ネットワーク通信部３１を介して受信した音声データを、データ送受信部３７、及び、接続部３８を介して通信端末８に送信する。通信端末８は、接続部８４、及び、データ送受信部８８を介して受信した音声データを、音声出力部８２を介して出力する。
【００４７】
図７の遷移状態図を参照して、図６の本発明の通信システムの第３の例の動作を説明する。ここでは、端末３を起動し、又は、シャットダウンすることにより、通信端末８の動作モードを変更する場合を説明する。
【００４８】
端末３が電源オフ（Ｓ７１）のとき、端末３と通信端末８は接続されていても通信端末８には電源が供給されず、電源切断状態（Ｓ７２）となる。
【００４９】
端末３が起動する（Ｓ８１）と、制御部３６はデータ送受信部３７に起動の制御信号（Ｓ８２）を送る。起動の制御信号（Ｓ８２）は、データ送受信部３７から接続部３８と通信端末８の接続部８４を介して通信端末８のデータ送受信部８８に送られる。それにより、制御部８７が起動し、通信端末８は電源供給状態（Ｓ８３）になる。このとき、通信端末８の操作部８５から操作を行っても、アプリケーション３４が起動していないので操作制御はデータ送受信部８８へは送られず、記憶部８１に転送データが入っていない状態なので転送データを表示部８３に表示して閲覧できない。音声入力部８６から音声入力を行っても同様にデータ送受信部８８へはデータは送られない。
【００５０】
端末３がシャットダウン処理される（Ｓ９１）と、制御部３６はデータ送受信部３７にシャットダウン処理の制御信号（Ｓ９２）を送り、端末３は電源オフ状態（Ｓ７１）になる。シャットダウン処理の制御信号（Ｓ９２）は、データ送受信部３７から接続部３８と通信端末８の接続部８４を介して通信端末８のデータ送受信部８８に送られる。それにより、通信端末８の制御部８７は電源供給状態（Ｓ８３）から電源切断状態（Ｓ７２）にモードを変更し、通信終了となる。このとき、通信端末８の操作部８５から操作を行っても、通信端末８には電源が供給されていないので動作せず、記憶部８１に転送データが入っていない状態なので表示部８３に表示させて閲覧することも中身を取り出すこともできない。音声入力部８６から音声入力を行っても同様に端末３は動作しない。
【００５１】
図８の遷移状態図を参照して、図６の本発明の通信システムの第３の例の動作を説明する。ここでは、端末３を起動した後に、アプリケーション３４を立ち上げ、又は、アプリケーション３４を終了することにより、通信端末８の動作モードを変更する場合を説明する。
【００５２】
端末３の操作部３５よりアプリケーション３４を立ち上げると（Ｓ１０１）、制御部３６はデータ送受信部３７にアプリケーション起動の制御信号（Ｓ１０２）を送り、端末３は待機状態（Ｓ１０５）となる。アプリケーション起動の制御信号（Ｓ１０２）は、データ送受信部３７から接続部３８と通信端末８の接続部８４を介して通信端末８のデータ送受信部８８に送られる。それにより、通信端末８の制御部８７は電源供給状態（Ｓ８３）から待機状態（Ｓ１０３）にモードを変更し、データ送受信部８８から接続部８４と端末３の接続部３８を介して端末３のデータ送受信部３７に転送データ要求の信号（Ｓ１０４）を送信する。
【００５３】
端末３のデータ送受信部３７は転送データ要求の信号（Ｓ１０４）を受信すると、制御部３６は記憶部３３に記憶されている転送データをデータ送受信部３７に送る。転送データは、接続部３８から通信端末８の接続部８４を介して通信端末８のデータ送受信部８８に送られる（Ｓ１０６）。通信端末８の制御部８７は、受信した転送データを記憶部８１に記憶する。このとき、通信端末８の操作部８５からの操作は全て有効となり、記憶部８１の転送データも表示部８３に表示され閲覧可能になる。更に、端末３のアプリケーション３４からネットワーク網２を介して接続先端末１に対して音声通信要求を行い、接続先端末１が応答したとき、又は、接続先端末１からネットワーク網２を介して端末３のアプリケーション３４に対して音声通信要求があり、端末３が応答したとき、音声入力部８６からの音声入力が有効になる。
【００５４】
端末３の操作部３５から一定時間操作がない、もしくは、スクリーンセーバが起動した等、予め設定したスタンバイ状態又はそれ準ずるパスワードロック状態（Ｓ１１１）になったとき、制御部３６はデータ送受信部３７にスタンバイ状態起動の制御信号（Ｓ１１２）を送る。スタンバイ状態起動の制御信号（Ｓ１１２）は、データ送受信部３７から接続部３８と通信端末８の接続部８４を介して通信端末８のデータ送受信部８８に送られる。それにより通信端末８の制御部８７は待機状態（Ｓ１０３）からロック状態（Ｓ１１３）にモードを変更する。このとき、通信端末８の操作部８５から操作を行っても操作制御はデータ送受信部８８へは送られず、記憶部８１の転送データもロック中の旨が表示部８３に表示され、閲覧できない。音声入力部８６から音声入力を行っても同様にデータ送受信部８８へはデータは送られない。ロックの解除には、端末３のスタンバイ状態（Ｓ１１１）を待機状態（Ｓ１０５）に戻さなければならない。
【００５５】
端末３の操作部３５よりアプリケーション３４を終了する（Ｓ１２１）と、制御部３６はデータ送受信部３７にアプリケーション終了の制御信号（Ｓ１２２）を送る。アプリケーション終了の制御信号（Ｓ１２２）は、データ送受信部３７から接続部３８と通信端末８の接続部８４を介して通信端末８のデータ送受信部８８に送られる。それにより通信端末８の制御部８７は待機状態（Ｓ１０３）から電源供給状態（Ｓ８３）にモード変更し、記憶部８１に記憶されている、端末３の記憶部３３から取得した転送データを消去する。このとき、端末３の起動時と同様、通信端末８の操作部８５から操作を行っても、アプリケーション３４が起動していないので操作制御はデータ送受信部８８へは送られず、記憶部８１に転送データが入っていない状態なので転送データを表示部８３に表示して閲覧できない。音声入力部８６から音声入力を行っても同様にデータ送受信部８８へはデータは送られない。
【００５６】
なお、スタンバイ時の動作として、通信端末８の操作制御はデータ送受信部８８へは送られないとしたが、記憶されているデータの閲覧のみ禁止し、発着信の通話のみ有効にする設定にしてもよい。この場合は、制御部８７はデータ送受信部８８でスタンバイ状態起動の制御信号（Ｓ１１２）を受信すると、データ閲覧禁止の制御のみ行うことになり、通信端末８では、音声通話と発着信に伴う操作は有効となる。
【００５７】
また、図示はしていないが、通信端末８が待機状態（Ｓ１０３）もしくはロック状態（Ｓ１１３）にあるときに、端末３との接続を切断すると、通信端末８は電源切断状態となり、記憶部８１に記憶された、端末３から受信した転送データは消去される。
【００５８】
図７及び図８を参照して説明した処理は、ハードウエアによって実現してもよいが、ソフトウエアによって実現してもよい。
【００５９】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００６０】
【図１】本発明の通信システムの概念を示す図である。
【図２】本発明の通信システムの第１の例の構成を示す図である。
【図３】本発明の通信システムの第１の例の動作を示す図である。
【図４】本発明の通信システムの第１の例の動作を示す図である。
【図５】本発明の通信システムの第２の例の構成を示す図である。
【図６】本発明の通信システムの第３の例の構成を示す図である。
【図７】本発明の通信システムの第３の例の動作を示す図である。
【図８】本発明の通信システムの第３の例の動作を示す図である。
【符号の説明】
【００６１】
１…接続先端末、２…ネットワーク網、３、６…端末、４…無線通信モジュール、５、８…通信端末、３１、６１…ネットワーク通信部、３２、５３、６２、８３…表示部、３３、５１、６３、８１…記憶部、３４、６４…アプリケーション、３５、５５、６５、８５…操作部、３６、４１、５４、６６、６９、８７…制御部、３７、４４、６７、７２、８８…データ送受信部、３８、４２、６８、７０、８４…接続部、４３、５７、７１…近距離無線通信部、５２、８２…音声出力部、５６、８６…音声入力部
【図１】
2006345342.tif 000003
【図２】
2006345342.tif 000004
【図３】
2006345342.tif 000005
【図４】
2006345342.tif 000006
【図５】
2006345342.tif 000007
【図６】
2006345342.tif 000008
【図７】
2006345342.tif 000009
【図８】
2006345342.tif 000010